(57)【特許請求の範囲】
【請求項１】
単数又は複数の光加入者線ネットワーク装置と、
前記単数又は複数の光加入者線ネットワーク装置に光ファイバ及び光カプラを介して接続され、前記光加入者線ネットワーク装置に送出するＧａｔｅパケットを複製し、複製した前記Ｇａｔｅパケットを集約する光加入者線終端装置と、
前記各光加入者線ネットワーク装置の下位に接続される単数又は複数の下位装置と、
前記光加入者線終端装置の上位に接続され、前記各下位装置に対して、前記各下位装置から自装置への上り通信のスケジューリングを行い、前記光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上位装置と、
を備えることを特徴とする光加入者通信システム。
【請求項２】
前記上位装置は、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知する
ことを特徴とする請求項１に記載の光加入者通信システム。
【請求項３】
前記単数又は複数の下位装置は、光張り出し基地局方式における単数又は複数の無線装置であり、前記上位装置は、光張り出し基地局方式における基地局装置である
ことを特徴とする請求項１又は請求項２に記載の光加入者通信システム。
【請求項４】
上位装置が、自装置と通信を行う単数又は複数の下位装置に対して、前記各下位装置から自装置への上り通信のスケジューリングを行うスケジューリング実行ステップと、
前記上位装置が、自装置の下位に接続され、光加入者線ネットワーク装置に送出するＧａｔｅパケットを複製し、複製した前記Ｇａｔｅパケットを集約する光加入者線終端装置であって、前記各下位装置の上位に接続される単数又は複数の前記光加入者線ネットワーク装置に光ファイバ及び光カプラを介して接続される光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上りデータ送信許可ステップと、
を順に備えることを特徴とする光加入者通信方法。
【請求項５】
前記上りデータ送信許可ステップは、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知する
ことを特徴とする請求項４に記載の光加入者通信方法。
【請求項６】
前記単数又は複数の下位装置は、光張り出し基地局方式における単数又は複数の無線装置であり、前記上位装置は、光張り出し基地局方式における基地局装置である
ことを特徴とする請求項４又は請求項５に記載の光加入者通信方法。
【請求項７】
自装置と通信を行う単数又は複数の下位装置に対して、前記各下位装置から自装置への上り通信のスケジューリングを行うスケジューリング実行部と、
自装置の下位に接続され、光加入者線ネットワーク装置に送出するＧａｔｅパケットを複製し、複製した前記Ｇａｔｅパケットを集約する光加入者線終端装置であって、前記各下位装置の上位に接続される単数又は複数の前記光加入者線ネットワーク装置に光ファイバ及び光カプラを介して接続される光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上りデータ送信許可部と、
を備えることを特徴とする上位装置。
【請求項８】
前記上りデータ送信許可部は、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知する
ことを特徴とする請求項７に記載の上位装置。
【請求項９】
単数又は複数の下位装置と、
前記単数又は複数の下位装置と通信を行い、前記各下位装置に対して、前記各下位装置から自装置への上り通信のスケジューリングを行う上位装置と、
前記各下位装置の上位に接続される単数又は複数の光加入者線ネットワーク装置と、
前記上位装置の下位に接続され、かつ、光ファイバ及び光カプラを介して前記単数又は複数の光加入者線ネットワーク装置に接続され、前記上り通信のスケジューリングを前記上位装置から通知され、前記各光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知し、前記光加入者線ネットワーク装置に送出するＧａｔｅパケットを複製し、複製した前記Ｇａｔｅパケットを集約する光加入者線終端装置と、
を備えることを特徴とする光加入者通信システム。
【請求項１０】
前記光加入者線終端装置は、前記上りデータの送信要求量が前記各光加入者線ネットワーク装置から通知されるのを待機することなく、前記上りデータの送信時刻及び送信許可量を前記各光加入者線ネットワーク装置に通知する
ことを特徴とする請求項９に記載の光加入者通信システム。
【請求項１１】
前記光加入者線終端装置は、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする請求項１０に記載の光加入者通信システム。
【請求項１２】
前記単数又は複数の下位装置は、光張り出し基地局方式における単数又は複数の無線装置であり、前記上位装置は、光張り出し基地局方式における基地局装置である
ことを特徴とする請求項９から１１のいずれかに記載の光加入者通信システム。
【請求項１３】
上位装置が、自装置と通信を行う単数又は複数の下位装置に対して、前記各下位装置から自装置への上り通信のスケジューリングを行うスケジューリング実行ステップと、
前記上位装置が、自装置の下位に接続され、光加入者線ネットワーク装置に送出するＧａｔｅパケットを複製し、複製した前記Ｇａｔｅパケットを集約する光加入者線終端装置に対して、前記上り通信のスケジューリングを通知するスケジューリング通知ステップと、
前記光加入者線終端装置が、前記各下位装置の上位に接続され、かつ、光ファイバ及び光カプラを介して自装置に接続される単数又は複数の前記光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知する送信許可ステップと、
を順に備えることを特徴とする光加入者通信方法。
【請求項１４】
前記送信許可ステップでは、前記光加入者線終端装置が、前記上りデータの送信要求量が前記各光加入者線ネットワーク装置から通知されるのを待機することなく、前記上りデータの送信時刻及び送信許可量を前記各光加入者線ネットワーク装置に通知する
ことを特徴とする請求項１３に記載の光加入者通信方法。
【請求項１５】
前記送信許可ステップでは、前記光加入者線終端装置が、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする請求項１４に記載の光加入者通信方法。
【請求項１６】
前記単数又は複数の下位装置は、光張り出し基地局方式における単数又は複数の無線装置であり、前記上位装置は、光張り出し基地局方式における基地局装置である
ことを特徴とする請求項１３から１５のいずれかに記載の光加入者通信方法。
【請求項１７】
自装置の上位に接続される上位装置に対するインタフェースである上位側通信部と、
前記上位装置と通信を行う単数又は複数の下位装置の上位に接続され、かつ、光ファイバ及び光カプラを介して自装置に接続される単数又は複数の光加入者線ネットワーク装置に対するインタフェースである下位側通信部と、
前記上位装置が前記各下位装置に対して行った、前記各下位装置から前記上位装置への上り通信のスケジューリングを、前記上位装置から取得する上り帯域情報取得部と、
前記各光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知する上りデータ送信許可部と、を備え、
前記光加入者線ネットワーク装置に送出するＧａｔｅパケットを複製し、複製した前記Ｇａｔｅパケットを集約する
ことを特徴とする光加入者線終端装置。
【請求項１８】
前記上りデータ送信許可部は、前記上りデータの送信要求量が前記各光加入者線ネットワーク装置から通知されるのを待機することなく、前記上りデータの送信時刻及び送信許可量を前記各光加入者線ネットワーク装置に通知する
ことを特徴とする請求項１７に記載の光加入者線終端装置。
【請求項１９】
前記上りデータ送信許可部は、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする請求項１８に記載の光加入者線終端装置。
【請求項２０】
前記単数又は複数の下位装置は、光張り出し基地局方式における単数又は複数の無線装置であり、前記上位装置は、光張り出し基地局方式における基地局装置である
ことを特徴とする請求項１７から１９のいずれかに記載の光加入者線終端装置。
【発明の詳細な説明】
【技術分野】
【０００１】
本発明は、光加入者システム（ＰＯＮ：Ｐａｓｓｉｖｅ  Ｏｐｔｉｃａｌ  Ｎｅｔｗｏｒｋ）を介して接続される上位装置及び下位装置からなる通信システムにおいて、下位装置から上位装置への上りデータを高速に転送する技術に関する。
【背景技術】
【０００２】
パッシブダブルスター構成を用いた光加入者システムは、経済性が高く、ＧＥ−ＰＯＮシステムやＧ−ＰＯＮシステムとして広く世界で導入されており、高速化された１０Ｇ−ＥＰＯＮシステムやＸＧ−ＰＯＮシステムについても検討が進んでいる。【０００３】
従来技術の光加入者通信システムの構成を図１−１及び図２−１に示す。光加入者通信システムは、上位装置１、光加入者線終端装置（ＯＬＴ：Ｏｐｔｉｃａｌ  Ｌｉｎｅ  Ｔｅｒｍｉｎａｌ）２、光ファイバ３Ｆ及び光カプラ３Ｃからなる光ファイバ区間３、光加入者線ネットワーク装置（ＯＮＵ：Ｏｐｔｉｃａｌ  Ｎｅｔｗｏｒｋ  Ｕｎｉｔ）４−１、４−２、・・・、４−Ｎ並びに下位装置５−１、５−２、・・・、５−Ｎから構成される。【０００４】
ＯＬＴ２は、上位装置１の下位に接続される。ＯＮＵ４−１、４−２、・・・、４−Ｎは、それぞれ下位装置５−１、５−２、・・・、５−Ｎの上位に接続される。光ファイバ区間３は、ＯＬＴ２及びＯＮＵ４−１、４−２、・・・、４−Ｎを接続する。【０００５】
ここで、光ファイバ区間３のうち、ＯＬＴ２及び光カプラ３Ｃの間は、ＯＮＵ４−１、４−２、・・・、４−Ｎで共有される。そこで、上位装置１から下位装置５への下り方向については、ＴＤＭ（Ｔｉｍｅ  Ｄｉｖｉｓｉｏｎ  Ｍｕｌｔｉｐｌｅｘｉｎｇ）で通信が行われるが、下位装置５から上位装置１への上り方向については、ＴＤＭＡ（Ｔｉｍｅ  Ｄｉｖｉｓｉｏｎ  Ｍｕｌｔｉｐｌｅ  Ａｃｃｅｓｓ）で通信が行われる。【０００６】
上り方向について、ＯＮＵ４−１、４−２、・・・４−Ｎからの上りデータが衝突しないようにするため、また、ＯＮＵ４−１、４−２、・・・４−Ｎに対して帯域の割り当てを適切に行うため、動的帯域割当（ＤＢＡ：Ｄｙｎａｍｉｃ  Ｂａｎｄｗｉｄｔｈ  Ａｌｌｏｃａｔｉｏｎ）技術が実現されている（非特許文献１を参照）。【０００７】
従来技術の上りデータの転送手順を示すタイムチャートを図１−２及び図２−２に示す。各下位装置５は、各ＯＮＵ４に対して、上りデータを送信する。各ＯＮＵ４は、上りデータをバッファリングし、ＯＬＴ２に対して、上りデータ量をＲｅｐｏｒｔパケットとして通知する。【０００８】
ＯＬＴ２は、各ＯＮＵ４のＲｅｐｏｒｔパケットに基づいて、各ＯＮＵ４に対して、上りデータの送信時刻及び送信許可量を割り当てる。そして、ＯＬＴ２は、各ＯＮＵ４に対して、上りデータの送信時刻及び送信許可量をＧａｔｅパケットとして通知する。【０００９】
各ＯＮＵ４は、受信したＧａｔｅパケットに基づいて、ＯＬＴ２に対して、上りデータを送信する。よって、各ＯＮＵ４からの上りデータは、衝突することなく、かつ、所要帯域幅に基づいて、効率的にＯＬＴ２へ伝送されることが可能である。
【先行技術文献】
【非特許文献】
【００１０】
【非特許文献１】“技術基礎講座  ＧＥ−ＰＯＮ技術  第三回ＤＢＡ機能”,ＮＴＴ技術ジャーナル，ｐｐ．６７−７０，２００５年１０月．
【非特許文献２】Ａ．Ｌａｒｍｏ  ｅｔ  ａｌ．，“Ｔｈｅ  ＬＴＥ  Ｌｉｎｋ−Ｌａｙｅｒ  Ｄｅｓｉｇｎ”,ＩＥＥＥ  Ｃｏｍｍｕｎｉｃａｔｉｏｎｓ  Ｍａｇａｚｉｎｅ，ｐｐ．５２−５９，Ａｐｒ．２００９．
【非特許文献３】“ＵＭＴＳ  Ｌｏｎｇ  Ｔｅｒｍ  Ｅｖｏｌｕｔｉｏｎ  （ＬＴＥ）  Ｔｅｃｈｎｏｌｏｇｙ  Ｉｎｔｒｏｄｕｃｔｉｏｎ”,Ｒｏｈｄｅ  ＆  Ｓｃｈｗａｒｚ  Ａｐｐｌｉｃａｔｉｏｎ  Ｎｏｔｅ，１ＭＡ１１１，２００８．
【非特許文献４】ＣＰＲＩ  Ｓｐｅｃｉｆｉｃａｔｉｏｎ  Ｖ５．０，２０１１．
【発明の概要】
【発明が解決しようとする課題】
【００１１】
ところで、現在導入が進んでいる移動体無線通信サービスであるＬＴＥ（Ｌｏｎｇ  Ｔｅｒｍ  Ｅｖｏｌｕｔｉｏｎ）（登録商標）や、ＬＴＥ（登録商標）の発展系であるＬＴＥ（登録商標）−ａｄｖａｎｃｅｄでは、有限な周波数資源を効率よく使うため、セルサイズを小型化するとともに、複数の無線基地局の間の協調伝送技術や干渉回避技術を活用する。【００１２】
さらに、図１−３及び図２−３に示すように、無線基地局の一部の機能を、基地局装置Ｂ（ベースバンド部、ＢＢＵ：Ｂａｓｅ  Ｂａｎｄ  Ｕｎｉｔ）及び無線装置Ｒ（光張り出し基地局、ＲＲＨ：Ｒｅｍｏｔｅ  Ｒａｄｉｏ  Ｈｅａｄ）に分割し、それらの間を光デジタルインタフェースＰで接続した構成とし、協調伝送技術や干渉回避技術を実現する。【００１３】
したがって、無線基地局は、数が非常に多くなり、経済性の点から、ＰＯＮシステムのような光アクセスネットワークで、効率的に収容することが重要となる。このとき、基地局装置Ｂは、上位装置１に対応し、無線装置Ｒは、下位装置５に対応し、ＰＯＮシステムとして、ＯＬＴ２、光ファイバ区間３及びＯＮＵ４を適用する。【００１４】
無線基地局の収容に関しては、無線基地局のベースバンド帯域については、ＬＴＥ（登録商標）においても３００Ｍｂ／ｓ程度であるため、既存のＰＯＮシステムでも対応可能であり、基地局装置Ｂ及び無線装置Ｒの間の所要帯域（Ｇｂ／ｓオーダ）についても、収容ＯＮＵ数は限られるが、１０Ｇ−ＥＰＯＮ等の高速システムで対応可能である。【００１５】
これに対して、基地局装置Ｂと無線装置Ｒの間の遅延時間に対する要求条件は厳しい。つまり、図１−４及び図２−４に示すように、ＬＴＥ（登録商標）の場合では、再送制御（ＨＡＲＱ）において、データ伝送、応答（ＡＣＫ／ＮＡＣＫ）及びデータ再送を、８ｍｓのサイクルで動作する必要がある（非特許文献２を参照）。よって、許容される片道の遅延時間は、基地局装置Ｂ及び無線装置Ｒでの処理時間を含めて、４ｍｓ以下である必要があり、基地局装置Ｂ及び無線装置Ｒでの処理時間を除いて、ＰＯＮ区間では１ｍｓに満たない。【００１６】
下り方向については、ＴＤＭで通信が行われるため、基地局装置Ｂから無線装置Ｒへのデータ送信タイミングを調整することにより、光ファイバ区間３の伝搬遅延が支配的となるため、ＰＯＮ区間の片道の遅延時間を１ｍｓ未満とすることは可能である。【００１７】
これに対して、上り方向については、従来のＤＢＡに基づく帯域割当では、ＯＬＴ２及びＯＮＵ４の間の制御パケット（Ｒｅｐｏｒｔ、Ｇａｔｅ）のやり取りにより、ＯＮＵ４でのデータ到着からＯＬＴ２でのデータ出力まで、１ｍｓ以上の時間が必要となる。したがって、現行のＰＯＮシステムを光張り出し基地局方式に適用することはできない。【００１８】
そこで、前記課題を解決するために、本発明は、光張り出し基地局方式等、ＰＯＮシステムを介して接続される上位装置及び下位装置からなる通信システムにおいて、上位装置及び下位装置の間の遅延時間に対する厳しい要求条件を充足するように、下位装置から上位装置への上りデータを高速に転送することを目的とする。
【課題を解決するための手段】
【００１９】
上記目的を達成するために、第１の発明では、ＯＬＴが、ＯＮＵから通知された、ＯＮＵが下位装置から受信した上り通信のデータの容量に基づいて、ＰＯＮ区間での上り帯域制御を行うのではなく、上位装置が、自装置が下位装置に対して事前に行った上り通信のスケジューリングに基づいて、ＰＯＮ区間での上り帯域制御を行うこととした。【００２０】
具体的には、本発明は、単数又は複数の光加入者線ネットワーク装置と、前記単数又は複数の光加入者線ネットワーク装置に光ファイバ及び光カプラを介して接続され、前記光加入者線ネットワーク装置に送出するＧａｔｅパケットを複製し、複製した前記Ｇａｔｅパケットを集約する光加入者線終端装置と、前記各光加入者線ネットワーク装置の下位に接続される単数又は複数の下位装置と、前記光加入者線終端装置の上位に接続され、前記各下位装置に対して、前記各下位装置から自装置への上り通信のスケジューリングを行い、前記光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上位装置と、を備えることを特徴とする光加入者通信システムである。
【００２１】
また、本発明は、上位装置が、自装置と通信を行う単数又は複数の下位装置に対して、前記各下位装置から自装置への上り通信のスケジューリングを行うスケジューリング実行ステップと、前記上位装置が、自装置の下位に接続され、光加入者線ネットワーク装置に送出するＧａｔｅパケットを複製し、複製した前記Ｇａｔｅパケットを集約する光加入者線終端装置であって、前記各下位装置の上位に接続される単数又は複数の前記光加入者線ネットワーク装置に光ファイバ及び光カプラを介して接続される光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上りデータ送信許可ステップと、を順に備えることを特徴とする光加入者通信方法である。
【００２２】
また、本発明は、自装置と通信を行う単数又は複数の下位装置に対して、前記各下位装置から自装置への上り通信のスケジューリングを行うスケジューリング実行部と、自装置の下位に接続され、光加入者線ネットワーク装置に送出するＧａｔｅパケットを複製し、複製した前記Ｇａｔｅパケットを集約する光加入者線終端装置であって、前記各下位装置の上位に接続される単数又は複数の前記光加入者線ネットワーク装置に光ファイバ及び光カプラを介して接続される光加入者線終端装置に対して、前記各光加入者線ネットワーク装置から前記光加入者線終端装置への上りデータの送信時刻及び送信許可量を、前記光加入者線ネットワーク装置からの上りデータ量に関する通知を用いることなく、前記スケジューリングに基づいて算出し通知する上りデータ送信許可部と、を備えることを特徴とする上位装置である。
【００２３】
この構成によれば、ＯＬＴが、ＯＮＵが下位装置から上り通信のデータを受信した後に、漸くＰＯＮ区間での上り帯域制御を行うのではなく、上位装置が、ＯＮＵが下位装置から上り通信のデータを受信する前に、予めＰＯＮ区間での上り帯域制御を行っている。【００２４】
よって、ＰＯＮシステムを介して接続される上位装置及び下位装置からなる通信システムにおいて、上位装置及び下位装置の間の遅延時間に対する厳しい要求条件を充足するように、下位装置から上位装置への上りデータを高速に転送することができる。【００２５】
また、本発明は、前記上位装置は、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知することを特徴とする光加入者通信システムである。【００２６】
また、本発明は、前記上りデータ送信許可ステップは、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知することを特徴とする光加入者通信方法である。【００２７】
また、本発明は、前記上りデータ送信許可部は、前記光加入者線終端装置から取得された前記各光加入者線ネットワーク装置及び前記光加入者線終端装置の間の遅延時間の情報に基づいて、前記光加入者線終端装置に対して、前記各光加入者線ネットワーク装置から前記光加入者線終端装置への上りデータの送信時刻及び送信許可量を算出し通知することを特徴とする上位装置である。【００２８】
上位装置は、ＯＮＵからＯＬＴへの上りデータの送信時刻及び送信許可量を算出するにあたり、ＯＮＵ及びＯＬＴの間の遅延時間の情報を必要とする。【００２９】
この構成によれば、上位装置は、ＯＬＴから、ＯＮＵ及びＯＬＴの間の遅延時間の情報を取得することにより、ＯＬＴに対して、ＯＮＵからＯＬＴへの上りデータの送信時刻及び送信許可量を算出し通知することができる。【００３０】
また、本発明は、前記単数又は複数の下位装置は、光張り出し基地局方式における単数又は複数の無線装置であり、前記上位装置は、光張り出し基地局方式における基地局装置であることを特徴とする光加入者通信システムである。【００３１】
また、本発明は、前記単数又は複数の下位装置は、光張り出し基地局方式における単数又は複数の無線装置であり、前記上位装置は、光張り出し基地局方式における基地局装置であることを特徴とする光加入者通信方法である。【００３２】
この構成によれば、本発明の光加入者通信システム、光加入者通信方法及び上位装置を、基地局装置及び無線装置の間の遅延時間に対する要求条件が厳しい光張り出し基地局方式に対して、適用することができる。【００３３】
また、上記目的を達成するために、第２の発明では、ＯＬＴは、ＯＮＵから通知された、ＯＮＵが下位装置から受信した上り通信のデータの容量に基づいて、ＰＯＮ区間での上り帯域制御を行うのではなく、上位装置から通知された、上位装置が下位装置に対して事前に行った上り通信のスケジューリングに基づいて、ＰＯＮ区間での上り帯域制御を行うこととした。【００３４】
具体的には、本発明は、単数又は複数の下位装置と、前記単数又は複数の下位装置と通信を行い、前記各下位装置に対して、前記各下位装置から自装置への上り通信のスケジューリングを行う上位装置と、前記各下位装置の上位に接続される単数又は複数の光加入者線ネットワーク装置と、前記上位装置の下位に接続され、かつ、光ファイバ及び光カプラを介して前記単数又は複数の光加入者線ネットワーク装置に接続され、前記上り通信のスケジューリングを前記上位装置から通知され、前記各光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知し、前記光加入者線ネットワーク装置に送出するＧａｔｅパケットを複製し、複製した前記Ｇａｔｅパケットを集約する光加入者線終端装置と、を備えることを特徴とする光加入者通信システムである。
【００３５】
また、本発明は、上位装置が、自装置と通信を行う単数又は複数の下位装置に対して、前記各下位装置から自装置への上り通信のスケジューリングを行うスケジューリング実行ステップと、前記上位装置が、自装置の下位に接続され、光加入者線ネットワーク装置に送出するＧａｔｅパケットを複製し、複製した前記Ｇａｔｅパケットを集約する光加入者線終端装置に対して、前記上り通信のスケジューリングを通知するスケジューリング通知ステップと、前記光加入者線終端装置が、前記各下位装置の上位に接続され、かつ、光ファイバ及び光カプラを介して自装置に接続される単数又は複数の前記光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知する送信許可ステップと、を順に備えることを特徴とする光加入者通信方法である。
【００３６】
また、本発明は、自装置の上位に接続される上位装置に対するインタフェースである上位側通信部と、前記上位装置と通信を行う単数又は複数の下位装置の上位に接続され、かつ、光ファイバ及び光カプラを介して自装置に接続される単数又は複数の光加入者線ネットワーク装置に対するインタフェースである下位側通信部と、前記上位装置が前記各下位装置に対して行った、前記各下位装置から前記上位装置への上り通信のスケジューリングを、前記上位装置から取得する上り帯域情報取得部と、前記各光加入者線ネットワーク装置に対して、前記各光加入者線ネットワーク装置から自装置への上りデータの送信時刻及び送信許可量を、前記光加入者線ネットワーク装置からの上りデータ量に関する通知を用いることなく、前記上り通信のスケジューリングに基づいて算出し通知する上りデータ送信許可部と、を備え、前記光加入者線ネットワーク装置に送出するＧａｔｅパケットを複製し、複製した前記Ｇａｔｅパケットを集約することを特徴とする光加入者線終端装置である。
【００３７】
この構成によれば、ＯＬＴは、ＯＮＵが下位装置から上り通信のデータを受信した後に、漸くＰＯＮ区間での上り帯域制御を行うのではなく、ＯＮＵが下位装置から上り通信のデータを受信する前に、予めＰＯＮ区間での上り帯域制御を行っている。【００３８】
よって、ＰＯＮシステムを介して接続される上位装置及び下位装置からなる通信システムにおいて、上位装置及び下位装置の間の遅延時間に対する厳しい要求条件を充足するように、下位装置から上位装置への上りデータを高速に転送することができる。【００３９】
また、本発明は、前記光加入者線終端装置は、前記上りデータの送信要求量が前記各光加入者線ネットワーク装置から通知されるのを待機することなく、前記上りデータの送信時刻及び送信許可量を前記各光加入者線ネットワーク装置に通知することを特徴とする光加入者通信システムである。【００４０】
また、本発明は、前記送信許可ステップでは、前記光加入者線終端装置が、前記上りデータの送信要求量が前記各光加入者線ネットワーク装置から通知されるのを待機することなく、前記上りデータの送信時刻及び送信許可量を前記各光加入者線ネットワーク装置に通知することを特徴とする光加入者通信方法である。【００４１】
また、本発明は、前記上りデータ送信許可部は、前記上りデータの送信要求量が前記各光加入者線ネットワーク装置から通知されるのを待機することなく、前記上りデータの送信時刻及び送信許可量を前記各光加入者線ネットワーク装置に通知することを特徴とする光加入者線終端装置である。【００４２】
この構成によれば、ＯＬＴは、上位装置が下位装置に対して事前に行った上り通信のスケジューリングを上位装置から通知された直後に、ＰＯＮ区間での上り帯域制御を行う。【００４３】
よって、ＰＯＮシステムを介して接続される上位装置及び下位装置からなる通信システムにおいて、上位装置及び下位装置の間の遅延時間に対する厳しい要求条件を充足するように、下位装置から上位装置への上りデータをさらに高速に転送することができる。【００４４】
また、本発明は、前記光加入者線終端装置は、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする光加入者通信システムである。【００４５】
また、本発明は、前記送信許可ステップでは、前記光加入者線終端装置が、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする光加入者通信方法である。【００４６】
また、本発明は、前記上りデータ送信許可部は、前記上り通信のスケジューリングに基づいて、前記各光加入者線ネットワーク装置から通知されたとみなされる前記上りデータの送信要求量を算出し、前記上りデータの送信要求量に基づいて、前記上りデータの送信時刻及び送信許可量を算出することを特徴とする光加入者線終端装置である。【００４７】
この構成によっても、上位装置及び下位装置の間の遅延時間に対する厳しい要求条件を充足するように、下位装置から上位装置への上りデータを高速に転送することができる。【００４８】
また、本発明は、前記光加入者線終端装置は、前記各光加入者線ネットワーク装置に対して、前記上り通信のスケジューリングを通知し、前記各光加入者線ネットワーク装置は、前記上り通信のスケジューリングに基づいて、前記光加入者線終端装置に対して、前記上りデータの送信要求量を算出し通知し、前記光加入者線終端装置は、前記上りデータの送信要求量に基づいて、前記各光加入者線ネットワーク装置に対して、前記上りデータの送信時刻及び送信許可量を算出し通知することを特徴とする光加入者通信システムである。【００４９】
また、本発明は、前記送信許可ステップでは、前記光加入者線終端装置が、前記各光加入者線ネットワーク装置に対して、前記上り通信のスケジューリングを通知し、前記各光加入者線ネットワーク装置が、前記上り通信のスケジューリングに基づいて、前記光加入者線終端装置に対して、前記上りデータの送信要求量を算出し通知し、前記光加入者線終端装置が、前記上りデータの送信要求量に基づいて、前記各光加入者線ネットワーク装置に対して、前記上りデータの送信時刻及び送信許可量を算出し通知することを特徴とする光加入者通信方法である。【００５０】
また、本発明は、前記上りデータ送信許可部は、前記各光加入者線ネットワーク装置に対して、前記上り通信のスケジューリングを通知し、前記各光加入者線ネットワーク装置から、前記上り通信のスケジューリングに基づいて算出された前記上りデータの送信要求量を取得し、前記上りデータの送信要求量に基づいて、前記各光加入者線ネットワーク装置に対して、前記上りデータの送信時刻及び送信許可量を算出し通知することを特徴とする光加入者線終端装置である。【００５１】
この構成によっても、上位装置及び下位装置の間の遅延時間に対する厳しい要求条件を充足するように、下位装置から上位装置への上りデータを高速に転送することができる。【００５２】
また、本発明は、前記各光加入者線ネットワーク装置を代理する代理装置、をさらに備え、前記光加入者線終端装置は、前記代理装置に対して、前記上り通信のスケジューリングを通知し、前記代理装置は、前記上り通信のスケジューリングに基づいて、前記光加入者線終端装置に対して、前記上りデータの送信要求量を算出し通知し、前記光加入者線終端装置は、前記上りデータの送信要求量に基づいて、前記各光加入者線ネットワーク装置に対して、前記上りデータの送信時刻及び送信許可量を算出し通知することを特徴とする光加入者通信システムである。【００５３】
また、本発明は、前記送信許可ステップでは、前記光加入者線終端装置が、前記各光加入者線ネットワーク装置を代理する代理装置に対して、前記上り通信のスケジューリングを通知し、前記代理装置が、前記上り通信のスケジューリングに基づいて、前記光加入者線終端装置に対して、前記上りデータの送信要求量を算出し通知し、前記光加入者線終端装置が、前記上りデータの送信要求量に基づいて、前記各光加入者線ネットワーク装置に対して、前記上りデータの送信時刻及び送信許可量を算出し通知することを特徴とする光加入者通信方法である。【００５４】
また、本発明は、前記上りデータ送信許可部は、前記各光加入者線ネットワーク装置を代理する代理装置に対して、前記上り通信のスケジューリングを通知し、前記代理装置から、前記上り通信のスケジューリングに基づいて算出された前記上りデータの送信要求量を取得し、前記上りデータの送信要求量に基づいて、前記各光加入者線ネットワーク装置に対して、前記上りデータの送信時刻及び送信許可量を算出し通知することを特徴とする光加入者線終端装置である。【００５５】
この構成によれば、代理装置は、各ＯＮＵと比較して、ＯＬＴの物理的に近傍に設置されるため、帯域情報パケットの伝送時間を短くすることができる。【００５６】
また、本発明は、単数又は複数の下位装置と、前記単数又は複数の下位装置と通信を行い、前記各下位装置に対して、前記各下位装置から自装置への上り通信のスケジューリングを行う上位装置と、前記各下位装置の上位に接続される単数又は複数の光加入者線ネットワーク装置と、前記各光加入者線ネットワーク装置を代理し、前記上り通信のスケジューリングを前記上位装置から通知され、前記上り通信のスケジューリングに基づいて、前記各光加入者線ネットワーク装置からの上りデータの送信要求量を算出する代理装置と、前記上位装置の下位に接続され、かつ、光ファイバ及び光カプラを介して前記単数又は複数の光加入者線ネットワーク装置に接続され、前記上りデータの送信要求量を前記代理装置から通知され、前記各光加入者線ネットワーク装置に対して、前記各光加入者線ネットワーク装置から自装置への上りデータの送信時刻及び送信許可量を、前記上りデータの送信要求量に基づいて算出し通知する光加入者線終端装置と、を備えることを特徴とする光加入者通信システムである。【００５７】
また、本発明は、上位装置が、自装置と通信を行う単数又は複数の下位装置に対して、前記各下位装置から自装置への上り通信のスケジューリングを行うスケジューリング実行ステップと、前記上位装置が、前記各下位装置の上位に接続される単数又は複数の光加入者線ネットワーク装置を代理する代理装置に対して、前記上り通信のスケジューリングを通知するスケジューリング通知ステップと、前記代理装置が、前記上位装置の下位に接続され、かつ、光ファイバ及び光カプラを介して前記単数又は複数の光加入者線ネットワーク装置に接続される光加入者線終端装置に対して、前記各光加入者線ネットワーク装置から前記光加入者線終端装置への上りデータの送信要求量を算出し通知する送信要求ステップと、前記光加入者線終端装置が、前記各光加入者線ネットワーク装置に対して、前記各光加入者線ネットワーク装置から自装置への上りデータの送信時刻及び送信許可量を、前記上りデータの送信要求量に基づいて算出し通知する送信許可ステップと、を順に備えることを特徴とする光加入者通信方法である。【００５８】
また、本発明は、自装置の上位に接続される上位装置に対するインタフェースである上位側通信部と、前記上位装置と通信を行う単数又は複数の下位装置の上位に接続され、かつ、光ファイバ及び光カプラを介して自装置に接続される単数又は複数の光加入者線ネットワーク装置に対するインタフェースである下位側通信部と、前記上位装置が前記各下位装置に対して行った前記各下位装置から前記上位装置への上り通信のスケジューリングに基づいて算出された、前記各光加入者線ネットワーク装置から自装置への上りデータの送信要求量を、前記各光加入者線ネットワーク装置を代理する代理装置から取得するとともに、前記各光加入者線ネットワーク装置に対して、前記各光加入者線ネットワーク装置から自装置への上りデータの送信時刻及び送信許可量を、前記上りデータの送信要求量に基づいて算出し通知する上りデータ送信許可部と、を備えることを特徴とする光加入者線終端装置である。【００５９】
この構成によれば、代理装置は、ＯＬＴを介さず、上位装置に直接的に接続されるため、帯域情報パケットの伝送時間を短くすることができる。【００６０】
また、本発明は、前記単数又は複数の下位装置は、光張り出し基地局方式における単数又は複数の無線装置であり、前記上位装置は、光張り出し基地局方式における基地局装置であることを特徴とする光加入者通信システムである。【００６１】
また、本発明は、前記単数又は複数の下位装置は、光張り出し基地局方式における単数又は複数の無線装置であり、前記上位装置は、光張り出し基地局方式における基地局装置であることを特徴とする光加入者通信方法である。【００６２】
また、本発明は、前記単数又は複数の下位装置は、光張り出し基地局方式における単数又は複数の無線装置であり、前記上位装置は、光張り出し基地局方式における基地局装置であることを特徴とする光加入者線終端装置である。【００６３】
この構成によれば、本発明の光加入者通信システム、光加入者通信方法及び光加入者線終端装置を、基地局装置及び無線装置の間の遅延時間に対する要求条件が厳しい光張り出し基地局方式に対して、適用することができる。
【発明の効果】
【００６４】
第１の発明及び第２の発明は、光張り出し基地局方式等、ＰＯＮシステムを介して接続される上位装置及び下位装置からなる通信システムにおいて、上位装置及び下位装置の間の遅延時間に対する厳しい要求条件を充足するように、下位装置から上位装置への上りデータを高速に転送することができる。
【図面の簡単な説明】
【００６５】
【図１−１】従来技術の光加入者通信システムの構成を示す図である。
【図１−２】従来技術の上りデータの転送手順を示すタイムチャートである。
【図１−３】光張り出し基地局方式における基地局の構成を示す図である。
【図１−４】ＬＴＥ（登録商標）方式における再送制御を示すタイムチャートである。
【図１−５】第１の発明に係る第１実施形態の光加入者通信システムの構成を示す図である。
【図１−６】第１の発明に係る第１実施形態の上りデータの転送手順を示すタイムチャートである。
【図１−７】第１の発明に係る第２実施形態の光加入者通信システムの構成を示す図である。
【図１−８】第１の発明に係る第２実施形態の上りデータの転送手順を示すタイムチャートである。
【図１−９】基地局装置と無線装置のインタフェース分界点を示す図である。
【図２−１】従来技術の光加入者通信システムの構成を示す図である。
【図２−２】従来技術の上りデータの転送手順を示すタイムチャートである。
【図２−３】光張り出し基地局方式における基地局の構成を示す図である。
【図２−４】ＬＴＥ（登録商標）方式における再送制御を示すタイムチャートである。
【図２−５】第２の発明に係る第２−１実施形態の光加入者通信システムの構成を示す図である。
【図２−６】第２の発明に係る第２−１実施形態の上りデータの転送手順を示すタイムチャートである。
【図２−７】第２の発明に係る第２−２実施形態の光加入者通信システムの構成を示す図である。
【図２−８】第２の発明に係る第２−２実施形態の上りデータの転送手順を示すタイムチャートである。
【図２−９】第２の発明に係る第２−３実施形態の光加入者通信システムの構成を示す図である。
【図２−１０】第２の発明に係る第２−３実施形態の上りデータの転送手順を示すタイムチャートである。
【図２−１１】第２の発明に係る第２−４実施形態の光加入者通信システムの構成を示す図である。
【図２−１２】第２の発明に係る第２−４実施形態の上りデータの転送手順を示すタイムチャートである。
【図２−１３】第２の発明に係る第２−５実施形態の光加入者通信システムの構成を示す図である。
【図２−１４】第２の発明に係る第２−５実施形態の上りデータの転送手順を示すタイムチャートである。
【図２−１５】基地局装置と無線装置のインタフェース分界点を示す図である。
【発明を実施するための形態】
【００６６】
添付の図面を参照して本発明の実施形態を説明する。以下に説明する実施形態は本発明の実施の例であり、本発明は以下の実施形態に制限されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００６７】
（第１の発明に係る第１実施形態）
第１の発明に係る第１実施形態の光加入者通信システムの構成を図１−５に示す。第１の発明に係る第１実施形態の光加入者通信システムは、上位装置１、ＯＬＴ２、光ファイバ３Ｆ及び光カプラ３Ｃからなる光ファイバ区間３、ＯＮＵ４−１、４−２、・・・、４−Ｎ並びに下位装置５−１、５−２、・・・、５−Ｎから構成される。例えば、光張り出し基地局方式では、上位装置１は、基地局装置Ｂに対応し、下位装置５は、無線装置Ｒに対応する。
【００６８】
Ｎは１以上の自然数であり、ＯＮＵ４は、単数又は複数配置される。ＯＬＴ２は、単数又は複数のＯＮＵ４に、光ファイバ３Ｆ及び光カプラ３Ｃを介して接続される。各下位装置５は、各ＯＮＵ４の下位に接続される。上位装置１は、ＯＬＴ２の上位に接続される。
【００６９】
上位装置１は、各下位装置５に対して、各下位装置５から自装置１への上り通信のスケジューリングを行い、ＯＬＴ２に対して、各ＯＮＵ４からＯＬＴ２への上りデータの送信時刻及び送信許可量を、上り通信のスケジューリングに基づいて算出し通知する。
【００７０】
上位装置１は、スケジューリング実行部１１及び上りデータ送信許可部１２から構成される。ＯＬＴ２は、フィルタ部２１及び帯域制御処理部２２から構成される。
【００７１】
スケジューリング実行部１１は、各下位装置５に対して、各下位装置５から自装置１への上り通信のスケジューリングを行う。上りデータ送信許可部１２は、ＯＬＴ２に対して、各ＯＮＵ４からＯＬＴ２への上りデータの送信時刻及び送信許可量を、上り通信のスケジューリングに基づいて算出し、Ｇａｔｅパケットとして通知する。
【００７２】
フィルタ部２１は、上位装置１から、各ＯＮＵ４へのＧａｔｅパケットを受信し、各ＯＮＵ４に対して、受信した各ＯＮＵ４へのＧａｔｅパケットを送信する。並行して、フィルタ部２１は、各ＯＮＵ４へのＧａｔｅパケットを複製し、帯域制御処理部２２に対して、複製した各ＯＮＵ４へのＧａｔｅパケットを出力する。帯域制御処理部２２は、フィルタ部２１から、複製された各ＯＮＵ４へのＧａｔｅパケットを受信する。そして、帯域制御処理部２２は、複製された各ＯＮＵ４へのＧａｔｅパケットを集約することにより、ＰＯＮ区間全体の帯域割当情報を作成する。そして、帯域制御処理部２２は、ＰＯＮ区間全体の帯域割当情報に基づいて、各ＯＮＵ４から自装置２への上りデータを受信する。
【００７３】
第１の発明に係る第１実施形態の上りデータの転送手順を示すタイムチャートを図１−６に示す。上位装置１において、スケジューリング実行部１１は、ＯＬＴ２、ファイバ区間３及び各ＯＮＵ４を介して、各下位装置５に対して、各下位装置５から自装置１への上り通信のスケジューリングの帯域情報を、下りデータの一部として送信する。
【００７４】
上り通信の帯域情報の送信処理と並行して、上位装置１において、上りデータ送信許可部１２は、上り通信のスケジューリングに基づいて、各ＯＮＵ４からＯＬＴ２への上りデータの送信時刻及び送信許可量を算出する。そして、ＯＬＴ２及びファイバ区間３を介して、各ＯＮＵ４に対して、Ｇａｔｅパケットを送信する。各ＯＮＵ４は、ＯＬＴ２及びファイバ区間３を介して、上位装置１から、Ｇａｔｅパケットを受信する。そして、Ｇａｔｅパケットに基づいて、ＰＯＮ区間での上り帯域設定を実行する。
【００７５】
Ｇａｔｅパケットの送信処理と並行して、ＯＬＴ２において、フィルタ部２１は、各ＯＮＵ４へのＧａｔｅパケットを複製する。そして、ＯＬＴ２において、帯域制御処理部２２は、ＰＯＮ区間全体の帯域割当情報に基づいて、上りデータの受信を待機する。
【００７６】
以上の処理の後に、各ＯＮＵ４は、ＰＯＮ区間での上り帯域設定に基づいて、光ファイバ区間３を介して、ＯＬＴ２に対して、各下位装置５からの上りデータを送信する。そして、ＯＬＴ２は、光ファイバ区間３を介して、各ＯＮＵ４から、ＰＯＮ区間全体の帯域割当情報に基づいて、各下位装置５からの上りデータを受信する。さらに、ＯＬＴ２は、上位装置１に対して、各下位装置５からの上りデータを送信する。
【００７７】
（第１の発明に係る第２実施形態）
第１の発明に係る第２実施形態の光加入者通信システムの構成を図１−７に示す。第１の発明に係る第１実施形態では、ＯＬＴ２が、ＰＯＮ区間全体の帯域割当情報を作成するが、第１の発明に係る第２実施形態では、上位装置１が、ＰＯＮ区間全体の帯域割当情報を作成する。このように、第１の発明に係る第２実施形態では、第１の発明に係る第１実施形態と比べて、構成要素は同様であるが、処理分担は異なっており、上位装置１及びＯＬＴ２の間のトラフィック量は、ＰＯＮ区間全体の帯域割当情報の送信分だけ増加するが、ＯＬＴ２のフィルタ部２１及び帯域制御処理部２２における処理量は、各ＯＮＵ４へのＧａｔｅパケットの複製分及びＰＯＮ区間全体の帯域割当情報の作成分だけ軽減される。
【００７８】
スケジューリング実行部１１は、各下位装置５に対して、各下位装置５から自装置１への上り通信のスケジューリングを行う。上りデータ送信許可部１２は、ＯＬＴ２に対して、各ＯＮＵ４からＯＬＴ２への上りデータの送信時刻及び送信許可量を、上り通信のスケジューリングに基づいて算出し、Ｇａｔｅパケットとして通知する。並行して、上りデータ送信許可部１２は、各ＯＮＵ４へのＧａｔｅパケットを集約することにより、ＰＯＮ区間全体の帯域割当情報を作成し、ＯＬＴ２に対して送信する。
【００７９】
フィルタ部２１は、上位装置１から、各ＯＮＵ４へのＧａｔｅパケット及びＰＯＮ区間全体の帯域割当情報を受信する。そして、フィルタ部２１は、各ＯＮＵ４に対して、各ＯＮＵ４へのＧａｔｅパケットを送信し、帯域制御処理部２２に対して、ＰＯＮ区間全体の帯域割当情報を出力する。帯域制御処理部２２は、フィルタ部２１から、ＰＯＮ区間全体の帯域割当情報を入力される。そして、帯域制御処理部２２は、ＰＯＮ区間全体の帯域割当情報に基づいて、各ＯＮＵ４から自装置２への上りデータを受信する。
【００８０】
第１の発明に係る第２実施形態の上りデータの転送手順を示すタイムチャートを図１−８に示す。上位装置１において、スケジューリング実行部１１は、ＯＬＴ２、ファイバ区間３及び各ＯＮＵ４を介して、各下位装置５に対して、各下位装置５から自装置１への上り通信のスケジューリングの帯域情報を、下りデータの一部として送信する。
【００８１】
上り通信の帯域情報の送信処理と並行して、上位装置１において、上りデータ送信許可部１２は、上り通信のスケジューリングに基づいて、各ＯＮＵ４からＯＬＴ２への上りデータの送信時刻及び送信許可量を算出する。そして、ＯＬＴ２及びファイバ区間３を介して、各ＯＮＵ４に対して、Ｇａｔｅパケットを送信する。各ＯＮＵ４は、ＯＬＴ２及びファイバ区間３を介して、上位装置１から、Ｇａｔｅパケットを受信する。そして、Ｇａｔｅパケットに基づいて、ＰＯＮ区間での上り帯域設定を実行する。
【００８２】
Ｇａｔｅパケットの送信処理と並行して、上位装置１において、上りデータ送信許可部１２は、ＰＯＮ区間全体の帯域割当情報を作成する。そして、ＯＬＴ２に対して、ＰＯＮ区間全体の帯域割当情報を送信する。ＯＬＴ２において、フィルタ部２１は、ＰＯＮ区間全体の帯域割当情報を受信する。そして、ＯＬＴ２において、帯域制御処理部２２は、ＰＯＮ区間全体の帯域割当情報に基づいて、上りデータの受信を待機する。
【００８３】
以上の処理の後に、各ＯＮＵ４は、ＰＯＮ区間での上り帯域設定に基づいて、光ファイバ区間３を介して、ＯＬＴ２に対して、各下位装置５からの上りデータを送信する。そして、ＯＬＴ２は、光ファイバ区間３を介して、各ＯＮＵ４から、ＰＯＮ区間全体の帯域割当情報に基づいて、各下位装置５からの上りデータを受信する。さらに、ＯＬＴ２は、上位装置１に対して、各下位装置５からの上りデータを送信する。
【００８４】
（第１の発明に係る第１、２実施形態の発明の効果）
このように、第１の発明に係る第１、２実施形態では、ＯＬＴ２が、各ＯＮＵ４から通知された、各ＯＮＵ４が各下位装置５から受信した上りデータの容量に基づいて、ＰＯＮ区間での上り帯域制御を行うのではなく、上位装置１が、自装置１が各下位装置５に対して事前に行った上り通信のスケジューリングに基づいて、ＰＯＮ区間での上り帯域制御を行う。
【００８５】
つまり、ＯＬＴ２が、各ＯＮＵ４が各下位装置５から上りデータを受信した後に、漸くＰＯＮ区間での上り帯域制御を行うのではなく、上位装置１が、各ＯＮＵ４が各下位装置５から上りデータを受信する前に、予めＰＯＮ区間での上り帯域制御を行っている。
【００８６】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。
【００８７】
第１の発明に係る第１、２実施形態は、例えば、光張り出し基地局方式に適用することができる。例えば、ＬＴＥ（登録商標）による光張り出し基地局方式の場合、第１の発明に係る第１、２実施形態での処理遅延は、１ｍｓ以下に抑えられるため、十分な余裕をもって帯域制御処理を実施することができる。
【００８８】
（第１の発明に係る第３実施形態）
第１の発明に係る第１、２実施形態では、上位装置１は、各ＯＮＵ４からＯＬＴ２への上りデータの送信時刻及び送信許可量を算出するにあたり、各下位装置５から出力されるトラフィック情報に加えて、各ＯＮＵ４及びＯＬＴ２の間の遅延時間の情報を必要とする。
【００８９】
第１の発明に係る第３実施形態では、第１の発明に係る第１、２実施形態に加えて、上位装置１は、ＯＬＴ２から、各ＯＮＵ４及びＯＬＴ２の間の遅延時間の情報を取得することにより、ＯＬＴ２に対して、各ＯＮＵ４からＯＬＴ２への上りデータの送信時刻及び送信許可量を算出し通知する。
【００９０】
例えば、ＧＥ−ＰＯＮでは、ＭＰＣＰ（Ｍｕｌｔｉ−Ｐｏｉｎｔ  Ｃｏｎｔｒｏｌ  Ｐｒｏｔｏｃｏｌ）のディスカバリ時に、ＯＬＴ２は、ＰＯＮ区間の遅延時間の情報を作成し保持する。そこで、上位装置１は、ＯＬＴ２から、ＰＯＮ区間の遅延時間の情報を取得することができる。伝送方法としては、専用の制御線を用いる方法や、上位装置１及びＯＬＴ２の間でパケット伝送する方法があるが、いずれの実装でも構わない。
【００９１】
（光張り出し基地局方式）
第１の発明に係る第１〜第３実施形態は、上述したように、光張り出し基地局方式に適用することができる。例えば、ＬＴＥ（登録商標）による光張り出し基地局方式の場合、基地局装置Ｂが下り制御チャネルを含む下りデータを送信してから、４サブフレーム（４ｍｓ）以内に、ＯＮＵ４が帯域情報を伝達され帯域設定を実行する必要がある（非特許文献３を参照）。しかし、第１の発明に係る第１〜第３実施形態は、上述したように、処理遅延を１ｍｓ以下に抑えることができるため、十分な余裕をもって帯域制御処理を実施することができる。
【００９２】
また、上位装置１及び下位装置５をそれぞれ基地局装置Ｂ（ＢＢＵ）及び無線装置Ｒ（ＲＲＨ）とする場合、基地局装置Ｂ及び無線装置Ｒの間のインタフェース分界点は、通常は業界標準であるＣＰＲＩ（Ｃｏｍｍｏｎ  Ｐｕｂｌｉｃ  Ｒａｄｉｏ  Ｉｎｔｅｒｆａｃｅ）（非特許文献４を参照）にあるように、無線物理層でのベースバンドでのＩＱデータ点で規格されるが、図１−９に示すＬＴＥ（登録商標）の物理層構成の各点とすることが可能である。
【００９３】
また、上位装置１から各下位装置５へ送信される上り帯域情報について、各下位装置５の識別情報が必須であり、各下位装置５から各ＯＮＵ４へ送信されるデータに関する到着時刻及びデータ長が必須であり、その他管理情報が付加される。
【００９４】
なお、第１の発明は前述の各実施形態に係る発明に限らない。例えば、第１の発明に係る実施形態１と２又は３の構成とを組み合わせてもよいし、実施形態１と２及び３の構成とを組み合わせてもよい。実施形態１と２及び３を組み合わせる場合、光加入者通信システムは、光張り出し基地局方式における上位装置１及び光張り出し基地局方式における下位装置５を備え、上位装置１がＯＬＴ２から取得された各ＯＮＵ４及びＯＬＴ２間の遅延時間の情報に基づいて、各ＯＮＵ４からＯＬＴ２への上りデータの送信時刻及び送信許可量を算出し通知する。これにより、実施形態１と２及び３を組み合わせることで、帯域制御処理部２２における処理を開始するまでの遅延時間を削減することができる。
【００９５】
（第２の発明に係る第１実施形態）
第２の発明に係る第１実施形態の光加入者通信システムの構成を図２−５に示す。第２の発明に係る第１実施形態の光加入者通信システムは、上位装置１、ＯＬＴ２、光ファイバ３Ｆ及び光カプラ３Ｃからなる光ファイバ区間３、ＯＮＵ４−１、４−２、・・・、４−Ｎ並びに下位装置５−１、５−２、・・・、５−Ｎから構成される。例えば、光張り出し基地局方式では、上位装置１は、基地局装置Ｂに対応し、下位装置５は、無線装置Ｒに対応する。
【００９６】
Ｎは、１以上の自然数であり、下位装置５は、単数又は複数配置される。上位装置１は、各下位装置５と通信を行い、各下位装置５に対して、各下位装置５から自装置１への上り通信のスケジューリングを行う。各ＯＮＵ４は、各下位装置５の上位に接続される。
【００９７】
ＯＬＴ２は、上位装置１の下位に接続され、かつ、光ファイバ３Ｆ及び光カプラ３Ｃを介して、単数又は複数のＯＮＵ４−１、４−２、・・・、４−Ｎに接続される。
【００９８】
そして、ＯＬＴ２は、上り通信のスケジューリングを上位装置１から通知され、各ＯＮＵ４に対して、各ＯＮＵ４から自装置２への上りデータの送信時刻及び送信許可量を、上り通信のスケジューリングに基づいて算出し通知する。
【００９９】
ここで、ＯＬＴ２は、上りデータの送信要求量が各ＯＮＵ４から通知されるのを待機することなく、上りデータの送信時刻及び送信許可量を各ＯＮＵ４に通知する。
【０１００】
ＯＬＴ２の構成要素について説明する。ＯＬＴ２は、上位側通信部２１、上り帯域情報取得部２２、上りデータ送信許可部２３及び下位側通信部２４から構成される。
【０１０１】
上位側通信部２１は、上位装置１に対するインタフェースである。下位側通信部２４は、ＯＮＵ４−１、４−２、・・・、４−Ｎに対するインタフェースである。
【０１０２】
上り帯域情報取得部２２は、上位装置１が各下位装置５に対して行った、各下位装置５から上位装置１への上り通信のスケジューリングを、上位装置１から取得する。上り通信のスケジューリングは、上位側通信部２１を介して通知される。
【０１０３】
上りデータ送信許可部２３は、各ＯＮＵ４に対して、各ＯＮＵ４から自装置２への上りデータの送信時刻及び送信許可量を、上り通信のスケジューリングに基づいて算出し通知する。上りデータの送信時刻及び送信許可量は、下位側通信部２４を介して通知される。
【０１０４】
ここで、上りデータ送信許可部２３は、上りデータの送信要求量が各ＯＮＵ４から通知されるのを待機することなく、上りデータの送信時刻及び送信許可量を各ＯＮＵ４に通知する。
【０１０５】
第２の発明に係る第１実施形態の上りデータの転送手順を示すタイムチャートを図２−６に示す。上位装置１は、ＯＬＴ２、ファイバ区間３及び各ＯＮＵ４を介して、各下位装置５に対して、各下位装置５から自装置１への上り通信のスケジューリングの帯域情報を、下りデータの一部として送信する。これと並行して、上位装置１は、ＯＬＴ２に対して、各下位装置５から自装置１への上り通信のスケジューリングの帯域情報を通知する。
【０１０６】
上り帯域情報取得部２２は、上位側通信部２１を介して、上位装置１から、各下位装置５から上位装置１への上り通信のスケジューリングの帯域情報を取得する。上りデータ送信許可部２３は、各下位装置５から上位装置１への上り通信のスケジューリングの帯域情報に基づいて、ＰＯＮ区間での帯域割当処理を実行する。そして、上りデータ送信許可部２３は、下位側通信部２４及び光ファイバ区間３を介して、各ＯＮＵ４に対して、帯域割当情報を伝達するためのＧａｔｅパケットを送信する。
【０１０７】
各ＯＮＵ４は、光ファイバ区間３を介して、ＯＬＴ２から、帯域割当情報を伝達するためのＧａｔｅパケットを受信する。そして、各ＯＮＵ４は、帯域割当情報を伝達するためのＧａｔｅパケットに基づいて、ＰＯＮ区間での上り帯域設定を実行する。これと並行して、各下位装置５は、ＯＬＴ２、光ファイバ区間３及び各ＯＮＵ４を介して、上位装置１から、自装置５から上位装置１への上り通信のスケジューリングの帯域情報を受信する。そして、各下位装置５は、自装置５から上位装置１への上り通信のスケジューリングの帯域情報に基づいて、各ＯＮＵ４に対して、上りデータを送信する。
【０１０８】
各ＯＮＵ４は、ＰＯＮ区間での上り帯域設定に基づいて、光ファイバ区間３を介して、ＯＬＴ２に対して、各下位装置５からの上りデータを送信する。そして、ＯＬＴ２は、上位装置１に対して、各下位装置５からの上りデータを送信する。
【０１０９】
このように、ＯＬＴ２は、各ＯＮＵ４から通知された、各ＯＮＵ４が各下位装置５から受信した上りデータの容量に基づいて、ＰＯＮ区間での上り帯域制御を行うのではなく、上位装置１から通知された、上位装置１が各下位装置５に対して事前に行った上り通信のスケジューリングに基づいて、ＰＯＮ区間での上り帯域制御を行う。
【０１１０】
つまり、ＯＬＴ２は、各ＯＮＵ４が各下位装置５から上りデータを受信した後に、漸くＰＯＮ区間での上り帯域制御を行うのではなく、各ＯＮＵ４が各下位装置５から上りデータを受信する前に、予めＰＯＮ区間での上り帯域制御を行っている。
【０１１１】
そして、ＯＬＴ２は、上位装置１が各下位装置５に対して事前に行った上り通信のスケジューリングを上位装置１から通知された直後に、ＰＯＮ区間での上り帯域制御を行う。
【０１１２】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。
【０１１３】
第２の発明に係る第１実施形態は、例えば、光張り出し基地局方式に適用することができる。例えば、ＬＴＥ（登録商標）による光張り出し基地局方式の場合、第２の発明に係る第１実施形態での処理遅延は、１ｍｓ程度に抑えられるため、十分な余裕をもって帯域制御処理を実施することができる。
【０１１４】
（第２の発明に係る第２実施形態）
第２の発明に係る第２実施形態の光加入者通信システムの構成を図２−７に示す。第２の発明に係る第２実施形態では、第２の発明に係る第１実施形態と異なり、ＯＬＴ２は、Ｒｅｐｏｒｔパケット生成部２５を備える。
【０１１５】
第２の発明に係る第２実施形態の上りデータの転送手順を示すタイムチャートを図２−８に示す。上位装置１が行う各下位装置５及びＯＬＴ２に対する、各下位装置５から自装置１への上り通信のスケジューリングの帯域情報の送信ステップは、第２の発明に係る第１、２実施形態で同様である。
【０１１６】
上り帯域情報取得部２２は、上位側通信部２１を介して、上位装置１から、各下位装置５から上位装置１への上り通信のスケジューリングの帯域情報を取得する。Ｒｅｐｏｒｔパケット生成部２５は、各下位装置５から上位装置１への上り通信のスケジューリングの帯域情報に基づいて、Ｒｅｐｏｒｔパケットを生成する。
【０１１７】
上りデータ送信許可部２３は、Ｒｅｐｏｒｔパケット生成部２５が生成したＲｅｐｏｒｔパケットに基づいて、ＰＯＮ区間での帯域割当処理を実行する。そして、上りデータ送信許可部２３は、下位側通信部２４及び光ファイバ区間３を介して、各ＯＮＵ４に対して、帯域割当情報を伝達するためのＧａｔｅパケットを送信する。
【０１１８】
各ＯＮＵ４が行うＰＯＮ区間での上り帯域の設定ステップと、各下位装置５、各ＯＮＵ４及びＯＬＴ２が行う上りデータの送信ステップは、第２の発明に係る第１、２実施形態で同様である。
【０１１９】
第２の発明に係る第２実施形態は、例えば、光張り出し基地局方式に適用することができる。例えば、ＬＴＥ（登録商標）による光張り出し基地局方式の場合、第２の発明に係る第２実施形態での処理遅延は、第２の発明に係る第１実施形態での処理遅延と比較して、Ｒｅｐｏｒｔパケット生成部２５の処理時間だけ大きくなる。しかし、処理遅延の当該増分は、１ｍｓよりも十分に小さいため、第２の発明に係る第２実施形態でも、第２の発明に係る第１実施形態と同様に、十分な余裕をもって帯域制御処理を実施することができる。
【０１２０】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。
【０１２１】
（第２の発明に係る第３実施形態）
第２の発明に係る第３実施形態の光加入者通信システムの構成を図２−９に示す。第２の発明に係る第３実施形態では、第２の発明に係る第１実施形態と異なり、各ＯＮＵ４は、Ｒｅｐｏｒｔパケット生成部４１を備える。例えば、ＯＮＵ４−１は、Ｒｅｐｏｒｔパケット生成部４１−１を備える。
【０１２２】
第２の発明に係る第３実施形態の上りデータの転送手順を示すタイムチャートを図２−１０に示す。上位装置１が行う各下位装置５及びＯＬＴ２に対する、各下位装置５から自装置１への上り通信のスケジューリングの帯域情報の送信ステップは、第２の発明に係る第１、３実施形態で同様である。
【０１２３】
上り帯域情報取得部２２は、上位側通信部２１を介して、上位装置１から、各下位装置５から上位装置１への上り通信のスケジューリングの帯域情報を取得する。そして、上り帯域情報取得部２２は、下位側通信部２４及び光ファイバ区間３を介して、各ＯＮＵ４に対して、各下位装置５から上位装置１への上り通信のスケジューリングの帯域情報を送信する。
【０１２４】
各ＯＮＵ４のＲｅｐｏｒｔパケット生成部４１は、各下位装置５から上位装置１への上り通信のスケジューリングの帯域情報に基づいて、Ｒｅｐｏｒｔパケットを生成する。そして、各ＯＮＵ４のＲｅｐｏｒｔパケット生成部４１は、光ファイバ区間３を介して、ＯＬＴ２に対して、Ｒｅｐｏｒｔパケットを送信する。
【０１２５】
上りデータ送信許可部２３は、各ＯＮＵ４のＲｅｐｏｒｔパケット生成部４１が生成したＲｅｐｏｒｔパケットに基づいて、ＰＯＮ区間での帯域割当処理を実行する。そして、上りデータ送信許可部２３は、下位側通信部２４及び光ファイバ区間３を介して、各ＯＮＵ４に対して、帯域割当情報を伝達するためのＧａｔｅパケットを送信する。
【０１２６】
各ＯＮＵ４が行うＰＯＮ区間での上り帯域の設定ステップと、各下位装置５、各ＯＮＵ４及びＯＬＴ２が行う上りデータの送信ステップは、第２の発明に係る第１、３実施形態で同様である。
【０１２７】
第２の発明に係る第３実施形態は、例えば、光張り出し基地局方式に適用することができる。例えば、ＬＴＥ（登録商標）による光張り出し基地局方式の場合、第２の発明に係る第３実施形態での処理遅延は、第２の発明に係る第１実施形態での処理遅延と比較して、各ＯＮＵ４のＲｅｐｏｒｔパケット生成部４１の処理時間並びに帯域情報パケット及びＲｅｐｏｒｔパケットの伝送時間だけ大きくなる。しかし、処理遅延の当該増分は、高々１ｍｓ程度であるため、第２の発明に係る第３実施形態でも、第２の発明に係る第１実施形態と同様に、十分な余裕をもって帯域制御処理を実施することができる。
【０１２８】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。
【０１２９】
（第２の発明に係る第４実施形態）
第２の発明に係る第４実施形態の光加入者通信システムの構成を図２−１１に示す。第２の発明に係る第４実施形態では、第２の発明に係る第１実施形態と異なり、光加入者通信システムは、代理ＯＮＵ６を備え、代理ＯＮＵ６は、Ｒｅｐｏｒｔパケット生成部６１を備える。代理ＯＮＵ６は、ＯＬＴ２の物理的に近傍に設置され、光カプラ３Ｃを介して、光ファイバ３Ｆに接続される。
【０１３０】
第２の発明に係る第４実施形態の上りデータの転送手順を示すタイムチャートを図２−１２に示す。上位装置１が行う各下位装置５及びＯＬＴ２に対する、各下位装置５から自装置１への上り通信のスケジューリングの帯域情報の送信ステップは、第２の発明に係る第１、４実施形態で同様である。
【０１３１】
上り帯域情報取得部２２は、上位側通信部２１を介して、上位装置１から、各下位装置５から上位装置１への上り通信のスケジューリングの帯域情報を取得する。そして、上り帯域情報取得部２２は、下位側通信部２４及び光ファイバ区間３を介して、代理ＯＮＵ６に対して、各下位装置５から上位装置１への上り通信のスケジューリングの帯域情報を送信する。
【０１３２】
代理ＯＮＵ６のＲｅｐｏｒｔパケット生成部６１は、各下位装置５から上位装置１への上り通信のスケジューリングの帯域情報に基づいて、Ｒｅｐｏｒｔパケットを生成する。そして、代理ＯＮＵ６のＲｅｐｏｒｔパケット生成部６１は、光ファイバ区間３を介して、ＯＬＴ２に対して、Ｒｅｐｏｒｔパケットを送信する。
【０１３３】
上りデータ送信許可部２３は、代理ＯＮＵ６のＲｅｐｏｒｔパケット生成部６１が生成したＲｅｐｏｒｔパケットに基づいて、ＰＯＮ区間での帯域割当処理を実行する。そして、上りデータ送信許可部２３は、下位側通信部２４及び光ファイバ区間３を介して、各ＯＮＵ４に対して、帯域割当情報を伝達するためのＧａｔｅパケットを送信する。
【０１３４】
各ＯＮＵ４が行うＰＯＮ区間での上り帯域の設定ステップと、各下位装置５、各ＯＮＵ４及びＯＬＴ２が行う上りデータの送信ステップは、第２の発明に係る第１、４実施形態で同様である。
【０１３５】
第２の発明に係る第４実施形態は、例えば、光張り出し基地局方式に適用することができる。例えば、ＬＴＥ（登録商標）による光張り出し基地局方式の場合、第２の発明に係る第４実施形態での処理遅延は、第２の発明に係る第１実施形態での処理遅延と比較して、代理ＯＮＵ６のＲｅｐｏｒｔパケット生成部６１の処理時間並びに帯域情報パケット及びＲｅｐｏｒｔパケットの伝送時間だけ大きくなる。しかし、処理遅延の当該増分は、高々１ｍｓ程度であるため、第２の発明に係る第４実施形態でも、第２の発明に係る第１実施形態と同様に、十分な余裕をもって帯域制御処理を実施することができる。
【０１３６】
そして、代理ＯＮＵ６は、各ＯＮＵ４と比較して、ＯＬＴ２の物理的に近傍に設置されるため、第２の発明に係る第４実施形態では、第２の発明に係る第３実施形態と比較して、帯域情報パケット及びＲｅｐｏｒｔパケットの伝送時間を短くすることができる。
【０１３７】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。そして、各ＯＮＵ４の構成を従来の構成から変更する必要もない。
【０１３８】
（第２の発明に係る第５実施形態）
第２の発明に係る第５実施形態の光加入者通信システムの構成を図２−１３に示す。第２の発明に係る第５実施形態では、第２の発明に係る第１実施形態と異なり、光加入者通信システムは、代理ＯＮＵ６を備え、代理ＯＮＵ６は、Ｒｅｐｏｒｔパケット生成部６１を備える。代理ＯＮＵ６は、ＯＬＴ２の物理的に近傍に設置され、光カプラ３Ｃを介して、光ファイバ３Ｆに接続され、ＯＬＴ２及び光ファイバ区間３を介さず、上位装置１に直接的に接続される。
【０１３９】
第２の発明に係る第５実施形態の上りデータの転送手順を示すタイムチャートを図２−１４に示す。上位装置１が行う各下位装置５に対する、各下位装置５から自装置１への上り通信のスケジューリングの帯域情報の送信ステップは、第２の発明に係る第１、５実施形態で同様である。
【０１４０】
上り通信のスケジューリングの帯域情報の送信ステップと並行して、上位装置１は、ＯＬＴ２及び光ファイバ区間３を介さず、代理ＯＮＵ６に対して直接的に、各下位装置５から自装置１への上り通信のスケジューリングの帯域情報を通知する。
【０１４１】
代理ＯＮＵ６のＲｅｐｏｒｔパケット生成部６１は、各下位装置５から上位装置１への上り通信のスケジューリングの帯域情報に基づいて、Ｒｅｐｏｒｔパケットを生成する。そして、代理ＯＮＵ６のＲｅｐｏｒｔパケット生成部６１は、光ファイバ区間３を介して、ＯＬＴ２に対して、Ｒｅｐｏｒｔパケットを送信する。
【０１４２】
上りデータ送信許可部２３は、代理ＯＮＵ６のＲｅｐｏｒｔパケット生成部６１が生成したＲｅｐｏｒｔパケットに基づいて、ＰＯＮ区間での帯域割当処理を実行する。そして、上りデータ送信許可部２３は、下位側通信部２４及び光ファイバ区間３を介して、各ＯＮＵ４に対して、帯域割当情報を伝達するためのＧａｔｅパケットを送信する。
【０１４３】
各ＯＮＵ４が行うＰＯＮ区間での上り帯域の設定ステップと、各下位装置５、各ＯＮＵ４及びＯＬＴ２が行う上りデータの送信ステップは、第２の発明に係る第１、５実施形態で同様である。
【０１４４】
第２の発明に係る第５実施形態は、例えば、光張り出し基地局方式に適用することができる。例えば、ＬＴＥ（登録商標）による光張り出し基地局方式の場合、第２の発明に係る第５実施形態での処理遅延は、第２の発明に係る第１実施形態での処理遅延と比較して、代理ＯＮＵ６のＲｅｐｏｒｔパケット生成部６１の処理時間並びに帯域情報パケット及びＲｅｐｏｒｔパケットの伝送時間だけ大きくなる。しかし、処理遅延の当該増分は、高々１ｍｓ程度であるため、第２の発明に係る第５実施形態でも、第２の発明に係る第１実施形態と同様に、十分な余裕をもって帯域制御処理を実施することができる。
【０１４５】
そして、代理ＯＮＵ６は、ＯＬＴ２及び光ファイバ区間３を介さず、上位装置１に直接的に接続されるため、第２の発明に係る第５実施形態では、第２の発明に係る第４実施形態と比較して、帯域情報パケットの伝送時間を短くすることができる。
【０１４６】
よって、ＰＯＮシステムを介して接続される上位装置１及び下位装置５からなる通信システムにおいて、上位装置１及び下位装置５の間の遅延時間に対する厳しい要求条件を充足するように、下位装置５から上位装置１への上りデータを高速に転送することができる。もっとも、ＯＬＴ２の帯域割当処理は、従来のＤＢＡ技術を使用可能である。そして、各ＯＮＵ４の構成を従来の構成から変更する必要もない。
【０１４７】
（光張り出し基地局方式）
第２の発明に係る第１〜５実施形態は、上述したように、光張り出し基地局方式に適用することができる。例えば、ＬＴＥ（登録商標）による光張り出し基地局方式の場合、基地局装置Ｂが下り制御チャネルを含む下りデータを送信してから、４サブフレーム（４ｍｓ）以内に、ＯＮＵ４が帯域情報を伝達され帯域設定を実行する必要がある（非特許文献３を参照）。しかし、第２の発明に係る第１〜５実施形態は、上述したように、処理遅延を１ｍｓ程度に抑えることができるため、十分な余裕をもって帯域制御処理を実施することができる。
【０１４８】
また、上位装置１及び下位装置５をそれぞれ基地局装置Ｂ（ＢＢＵ）及び無線装置Ｒ（ＲＲＨ）とする場合、基地局装置Ｂ及び無線装置Ｒの間のインタフェース分界点は、通常は業界標準であるＣＰＲＩ（Ｃｏｍｍｏｎ  Ｐｕｂｌｉｃ  Ｒａｄｉｏ  Ｉｎｔｅｒｆａｃｅ）（非特許文献４を参照）にあるように、無線物理層でのベースバンドでのＩＱデータ点で規格されるが、図２−１５に示すＬＴＥ（登録商標）の物理層構成の各点とすることが可能である。
【０１４９】
なお、上位装置１からＯＬＴ２の上り帯域情報取得部２２への上り帯域情報の伝達手段として、専用の制御線を用いて直接的に、上り帯域情報取得部２２に伝達する方法と、データ用のインタフェースでパケット多重してＯＬＴ２に伝達し、ＯＬＴ２内で当該パケットをフィルタリングして上り帯域情報を抽出し、上り帯域情報取得部２２に伝達する方法と、がある。いずれの方法を採っても、１ｍｓ程度で情報伝達は可能であり、ＬＴＥ（登録商標）を対象とする場合、帯域割当処理の時間的な余裕は十分である。
【０１５０】
また、上位装置１から各下位装置５へ送信される上り帯域情報について、各下位装置５の識別情報が必須であり、各下位装置５から各ＯＮＵ４へ送信されるデータに関する到着時刻及びデータ長が必須であり、その他管理情報が付加される。
【０１５１】
なお、第１の発明及び第２の発明は前述の各実施形態に係る発明に限らない。例えば、第１の発明に係る実施形態及び第２の発明に係る実施形態の構成を組み合わせてもよい。第１の発明に係る実施形態及び第２の発明に係る実施形態を組み合わせる場合、光加入者通信システムにおいて、第１の発明に係る上位装置１は、各下位装置５に対してスケジューリングを行い、ＯＬＴ２に対して、各ＯＮＵ４からＯＬＴ２への上りデータの送信時刻及び送信許可量を、スケジューリングに基づいて算出し通知する。ここで、第２の発明に係るＯＬＴ２は、第１の発明に係る上位装置１及び各ＯＮＵ４に接続され、上り通信のスケジューリングを第１の発明に係る上位装置から通知され、各ＯＮＵ４に対して、各ＯＮＵ４から自装置への上りデータの送信時刻及び送信許可量を、上り通信のスケジューリングに基づいて算出し通知する。これにより、第１の発明に係る実施形態及び第２の発明に係る実施形態を組み合わせることで、帯域制御の処理を開始するまでの遅延時間を削減することができる。
【産業上の利用可能性】
【０１５２】
本発明に係る光加入者通信システム、光加入者通信方法、光加入者線終端装置及び上位装置は、上位装置及び下位装置の間の遅延時間に対する要求条件が厳しい通信システムに対して、適用することができ、例えば、基地局装置及び無線装置の間の遅延時間に対する要求条件が厳しい光張り出し基地局方式に対して、適用することができる。
【符号の説明】
【０１５３】
（第１の発明に係る第１〜第３実施形態における符号の説明）
１：上位装置
２：ＯＬＴ
３：光ファイバ区間
３Ｆ：光ファイバ
３Ｃ：光カプラ
４、４−１、４−２、４−Ｎ：ＯＮＵ
５、５−１、５−２、５−Ｎ：下位装置
Ｂ：基地局装置
Ｒ：無線装置
Ｐ：光デジタルインタフェース
１１：スケジューリング実行部
１２：上りデータ送信許可部
２１：フィルタ部
２２：帯域制御処理部
（第２の発明に係る第１〜第５実施形態における符号の説明）
１：上位装置
２：ＯＬＴ
３：光ファイバ区間
３Ｆ：光ファイバ
３Ｃ：光カプラ
４、４−１、４−２、４−Ｎ：ＯＮＵ
５、５−１、５−２、５−Ｎ：下位装置
６：代理ＯＮＵ
Ｂ：基地局装置
Ｒ：無線装置
Ｐ：光デジタルインタフェース
２１：上位側通信部
２２：上り帯域情報取得部
２３：上りデータ送信許可部
２４：下位側通信部
２５：Ｒｅｐｏｒｔパケット生成部
４１、４１−１：Ｒｅｐｏｒｔパケット生成部
６１：Ｒｅｐｏｒｔパケット生成部
【図１−１】
0005876941.tif 000002
【図１−２】
0005876941.tif 000003
【図１−３】
0005876941.tif 000004
【図１−４】
0005876941.tif 000005
【図１−５】
0005876941.tif 000006
【図１−６】
0005876941.tif 000007
【図１−７】
0005876941.tif 000008
【図１−８】
0005876941.tif 000009
【図１−９】
0005876941.tif 000010
【図２−１】
0005876941.tif 000011
【図２−２】
0005876941.tif 000012
【図２−３】
0005876941.tif 000013
【図２−４】
0005876941.tif 000014
【図２−５】
0005876941.tif 000015
【図２−６】
0005876941.tif 000016
【図２−７】
0005876941.tif 000017
【図２−８】
0005876941.tif 000018
【図２−９】
0005876941.tif 000019
【図２−１０】
0005876941.tif 000020
【図２−１１】
0005876941.tif 000021
【図２−１２】
0005876941.tif 000022
【図２−１３】
0005876941.tif 000023
【図２−１４】
0005876941.tif 000024
【図２−１５】
0005876941.tif 000025